【事件の表示】
　平成　９年特許願第３３２２６３号「ナビゲーションシステム用のインタフェースレイヤ」拒絶査定不服審判事件〔平成１０年　９月２５日出願公開、特開平１０−２５３３６７〕について、次のとおり審決する。
【結　論】
　本件審判の請求は、成り立たない。
【理　由】
１．手続の経緯・本願の発明
　本願は、平成９年１０月２８日（パリ条約による優先権主張１９９６年１０月２５日、米国）の出願であって、その請求項１に係る発明（以下、「本願発明」という。）は、平成１９年１０月３１日付の手続補正書により補正された明細書及び図面の記載からみて、特許請求の範囲の請求項１に記載された次の事項により特定されるとおりのものと認める。
「ナビゲーションシステムのユーザに対しナビゲーション機能を提供するナビゲーション応用プログラムと、物理的記憶媒体上にコンピュータ読取可能な物理的記憶フォーマットで格納されている地理データベースとを含んでいる前記ナビゲーションシステムにおいて使用されるインターフェースレイヤー装置であって、
　上記ナビゲーション応用プログラムからの地理的データに関する要求を受け取って処理する手段と、
　上記地理的データを上記物理的記憶フォーマットから翻訳し、論理データモデルフォーマットの前記地理的データを上記ナビゲーション応用プログラムに供給する手段と、
　上記ナビゲーション応用プログラムからの上記地理的データを求める要求に応答して、上記ナビゲーション応用プログラムに、複数のレコードを含むカーソルを供給する手段であって、上記翻訳する手段に応答しそこから前記地理的データを受け取るようにされているカーソル供給手段と、
　を備えていることを特徴とするインターフェースレイヤー装置。」
　
２．引用例
（１）これに対して、原査定の拒絶の理由に引用された特開平８−１８０５９３号公報（平成８年７月１２日出願公開。以下、「引用例１」という。）には、図面と共に次の事項が記載されている。
　
　・「【０００１】
【産業上の利用分野】この発明は、例えば、移動体のナビゲーションに必要な種々の情報信号、音声情報および画像情報をディスク等の記録媒体に記録再生する記録再生装置に関するものである。」
　
　・「【０００２】
【従来の技術】近年、移動体として代表的な自動車には、液晶表示装置などのディスプレイによって、車両情報などの提供、ナビゲーション機能、ロケーション機能等を実現する装置が普及する傾向にある。ナビゲーション機能とは、表示装置の画面上に表示される地図上の目的地に対して、現在走行中の自動車の進行すべき方向を指示する機能であり、ロケーション機能とは、現在走行中である自動車が前記画面上に表示されている地図上のいずれの位置を走行しているかを示す機能である。」
　
　・「【００４７】次に、上記再生データ出力１ｈに現われた再生データはＣＤ−ＲＯＭデコーダ５０ａに入力される。ＣＤ−ＲＯＭデコーダ５０ａではホストマイコン６６の指令によって、前記従来例で説明したようにＣＤ−ＲＯＭ  ｍｏｄｅ１  フォーマットで信号処理が行われ、所望の地図情報が抽出される。この地図情報はホストマイコン６６の制御によって、データバス５０ｂに接続されているバッファメモリＡ８ｄに一旦記憶される。」
　
　・「【００７２】実施例２．本実施例では記録媒体としてＭＤ（Ｍｉｎｉ  Ｄｉｓｃ）を用いた場合を例にとり説明するが、本発明がこれに限定されるものではない。図３は実施例２のブロック回路図である。・・・ＭＤには従来のＣＤ−ＲＯＭディスク１ａと同様に読み出し専用のものと、光磁気記録方式によって何度も記録再生が可能なイレーザブルタイプのものがあり、本発明では後者のイレーザブルタイプをもちいている。
【００７３】図３において、９はＭＤの記録再生を行うＭＤドライバで、９ａは記録媒体であるイレーザブルＭＤである。・・・ここでは、読み出し専用のＣＤ−ＲＯＭディスク１ａに対して書換えが可能なことから、以後イレーザブルＭＤ９ａをＭＤ−ＲＡＭディスク９ａと称することにする。
【００７４】図４はＭＤドライバ９の内部を表したブロック図である。・・・１５はメモリ制御回路１３を介して、メモリ１４から読み出した再生データをホストバス５０ｂとインタフェースするためのＩ／Ｆ（インタフェース）回路である。
【００７５】１９はＭＤ−ＲＡＭディスク９ａを回転させるスピンドルモータで、これと光ピックアップ１０は２０のサーボ制御回路によって制御されている。また、２１はマイコンで制御部５からの記録、再生等の指示によって上記ＭＤドライバ各部をコントロールし、記録再生動作を行わせるものである。・・・ここで、本実施例ではＭＤ−ＲＡＭディスク９ａにはＣＤ−ＲＯＭディスク１ａと同様の地図情報の他に、前記従来例で述べた走行経路情報が記録再生されるものとする。記録フォーマットはＣＤ−ＲＯＭディスク１ａとほぼ同様である。（但し、同一である必要性は必ずしもない。）
【００７６】次に動作について説明する。地図情報や走行軌跡の表示処理、ＧＰＳ装置２や方位センサ３および距離センサ４から得たデータの処理は前記と同一である。まず、ＭＤ−ＲＡＭディスク９ａから地図情報を読み出して前記と同様に、現在位置をディスプレイ装置６で表示させる場合は以下のようになる。
【００７７】最初に、地図を表示するために制御部５ａからホストマイコン６６へ現在位置と地図アドレスが与えられる。次に、ホストマイコン６６の指令によってマイコン２１はサーボ制御回路２０を動作させ、スピンドルモータ１９によりＭＤ−ＲＡＭディスク９ａを回転させると共に、光ピックアップ１０を移動させて再生を行い、指定されたアドレスの地図情報が記録されている部分を検索する。マイコン２１は上記指定されたアドレスであることを光ピックアップ１０からの再生信号より、サブコードと呼ばれる付加情報、あるいはＭＤ−ＲＡＭディスク９ａにウォブリングされているアドレス情報（ＡＤＩＰ）として得ると、その場所よりＭＤドライバ９の再生データ処理を開始する。
【００７８】ここで、光ピックアップ１０からの再生信号は再生アンプ１１を介して再生信号処理回路１２に与えられ、１４ビットデータを８ビットデータに変換するＥＦＭ復調および誤り訂正処理がなされる。処理の終わった再生データはメモリ制御回路１３に入力され同期信号が検出されると、この信号が付加されたデータ単位であるセクタを基準としてメモリ１４に順次記憶される。上記セクタにはアドレス情報が付加されており、前記地図のアドレス情報に対応している。また、このセクタのアドレス情報は前記サブコードあるいはＡＤＩＰアドレスにも対応しており、これらの内、サブコードとＡＤＩＰアドレスは再生信号処理回路１２より出力され、セクタアドレスはメモリ制御回路１３より出力され、いずれもマイコン２１に与えられる。
【００７９】次に、メモリ制御回路１３はマイコン２１の指示にしたがって、前記ホストマイコン６６から指定されたアドレスに対応する地図情報を、メモリ１４に記憶されている再生データから選択して読み出す。この地図情報はＩ／Ｆ回路１６で、制御部５ａの地図入力フォーマット（一例としてナビゲーション研究会制定の規格およびＣＤ−ＲＯＭ規格参照。但し、本発明はこの規格に限定されるものではない。）に変換された後、ホストバス５０ｂに出力され、バッファメモリＡ８ｄに記憶される。その後、ホストマイコン６６の制御によってバッファメモリＡ８ｄより読みだされ、制御部５ａにて表示処理がなされる。」
　
・図３及び図４には、制御部５ａに、地図情報を供給する手段がＩ／Ｆ回路１５及びバッファメモリＡ８ｄから構成される点が示されている。
　
　これらの記載事項及び図示内容を総合すると、引用例１には次の発明（以下、「引用発明」という。）が記載されているものと認められる。
「ナビゲーション装置のナビゲーション機能を実現する制御部５ａと、ＭＤ−ＲＡＭディスク９ａにＣＤ−ＲＯＭディスクとほぼ同様の記録フォーマットで記録されている地図情報とを含んでいる前記ナビゲーション装置において使用される記録再生装置であって、
　上記制御部５ａからの指定されたアドレスに対応する上記地図情報の再生を行う手段と、
　上記地図情報を上記記録フォーマットから変換し、変換された地図入力フォーマットの前記地図情報を上記制御部５ａに供給する手段と、
　上記制御部５ａからの上記地図情報に関する指定に応答して、上記制御部５ａに、上記地図情報を供給する手段であって、上記変換する手段により変換された前記地図情報を記録し、その後前記地図情報を読み出して供給するようにされているバッファメモリＡ８ｄと、
　を備えている記録再生装置。」
　
（２）同じく、引用された特開平５−１２３４２号公報（以下、「引用例２」という。）には、図面と共に次の事項が記載されている。
　
　・「【０００１】
【産業上の利用分野】本発明は、例えばリモートセンシングイメージ（以下、画像という）のような大容量の画像データを記録した画像ファイル装置から目的とする画像を高精度に検索、あるいは、表示画像中の対象物に関する情報を、容易かつ高精度に検索するイメージ情報データベース検索方法に関する。」
　
　・「【０１９８】以下、図１７における各検索処理の詳細を述べる。
【０１９９】（１）緯度・経度検索処理５７０
図８に緯度・経度検索処理フローを示す。
【０２００】この処理により、図１７のワークステーション６８０から図９に示すように対象物名を入力して（３２０）、図１０に示す対象物テーブルを用い対象物の緯度、経度を自動的に検索する（３３０）。対象物テーブルの列、つまりカラムは対象物名および対象物の緯度、経度等（例えば、国土地理院の地図に基づく真値の緯度、経度である。以下緯経度と略す）よりなる。対象物テーブルの行、つまりレコードは対象物の数だけ存在する。なお、図のテーブルに記載されている数値などは正確なものではない。実施例を説明するためにおおよその値を記入したものである。
【０２０１】例えば、羽田空港の緯経度を検索する場合、ＳＱＬコマンドによると以下のようになる。
【０２０２】
　ＤＥＣＬＡＲＥ ＣＲ１ ＣＵＲＳＯＲ ＦＯＲ ＳＥＬＥＣＴ 緯度 経度
　ＦＲＯＭ 対象物テーブル ＷＨＥＲＥ 対象物名＝'羽田空港'（数６０）
　ＯＰＥＮ ＣＲ１　　　　　　　　　　　　　　　　　　　　　（数６１）
　ＦＥＴＣＨ ＣＲ１ ＩＮＴＯ ＤＡ　　　　　　　　　　　　　（数６２）
（数６０）は、対象物テーブル中で、ＷＨＥＲＥ句に示される条件（対象物名が'羽田空港'）を満たすレコードを検索集合に指定し、カーソルＣＲ１に対応させる。
【０２０３】（数６１）はカーソルＣＲ１をオープンする。（数６２）はカーソルＣＲ１の位置を次レコードに移し、そのレコードのデータをデータエリアＤＡに取り出す。
【０２０４】（数６０）から（数６２）のＳＱＬコマンドにより、該当する対象物名が見つからない場合は、『該当対象物名は存在しない』とワークステーションに表示し（３４０）、本処理を終了する（３５０）。
【０２０５】対象物名が見つかった場合は、検索された候補対象物の情報（対象物名、緯度、経度、大きさ等）をワークステーションに表示する（３６０）。利用者は対象物を選択し（３７０）、選択された対象物の緯経度が出力され（３８０）、本処理は終了する。
【０２０６】ここで、検索された羽田空港の緯経度座標を（ａ，ｂ）とする。
【０２０７】（２）候補イメージ情報検索処理５８０
図４６に候補イメージ情報検索処理フローを示す。本処理は、緯度・経度検索処理５７０により検索された緯経度をキーとして、図１２に示す画像テーブルを用いて、確定した候補情報の画像情報を検索する処理である。図１２の画像テーブルには、実施例１と同様の情報が記載されている。以下に用いる、内ポリゴン、外ポリゴンとは、それぞれ図１、図２に定義したものと同様である。
【０２０８】最初に、緯度、経度を入力４３００しＳＱＬ外ポリゴン検索処理４４００を行う。ＳＱＬ外ポリゴン検索処理４４００では、最初にＳＱＬコマンドを用いて、画像テーブル中でＷＨＥＲＥ句の条件を満たすレコードを検索集合に指定し、その検索集合から１レコードずつデータを取り出す（４５００）。ＷＨＥＲＥ句に示す条件は、インデックスで形成される外ポリゴンが検索キーとなる緯経度座標（ａ，ｂ）を包含するという条件である。次に、取り出したデータを用いて、内ポリゴン包含関係判定を行う（４６００）。判定文中の条件式は、インデックスで形成される内ポリゴンが検索キー（ａ，ｂ）を包含する条件を示す。条件式が示す判定条件を満たす場合は、図５の確定検索（該当あり）１８０の領域になるので、現レコードのデータ（四隅の緯経度、画像識別番号など）を出力する（４７００）。判定条件を満たさない場合は、図５のあいまい検索１９０の領域になるので、詳細イメージ情報検索６３０を行う。ＳＱＬ外ポリゴン検索処理４４００は、ＷＨＥＲＥ句で指定した検索集合の全レコードについて４５００から４７００、６３０までの処理を繰り返す。
【０２０９】ポリゴンを形成する画像の四隅の緯経度座標を、それぞれ左上（Ｌｏ１，Ｌａ１）、右上（Ｌｏ２，Ｌａ２）、左下（Ｌｏ３，Ｌａ３）、右下（Ｌｏ４，Ｌａ４）とした場合、検索キー（ａ，ｂ）を内ポリゴンに含む画像の情報は（数６３）から（数６５）で表わすＳＱＬコマンドと（数６６）で表わす判定文で検索できる。
【０２１０】
　ＤＥＣＬＡＲＥ  ＣＲ１  ＣＵＲＳＯＲ  ＦＯＲ  ＳＥＬＥＣＴ  四隅の緯経度
　画像識別番号  センサ名  衛星名  撮影年月日  ＦＲＯＭ  画像テーブル
　ＷＨＥＲＥ　　（ ａ ≧ Ｌｏ１  ＯＲ  ａ ≧ Ｌｏ３ ）
　　ＡＮＤ　　　（ ａ ≦ Ｌｏ２  ＯＲ  ａ ≦ Ｌｏ４ ）　　　（数６３）
　　ＡＮＤ　　　（ ｂ ≧ Ｌａ３  ＯＲ  ｂ ≧ Ｌａ４ ）
　　ＡＮＤ　　　（ ｂ ≦ Ｌａ１  ＯＲ  ｂ ≦ Ｌａ２ ）
　ＯＰＥＮ　ＣＲ１　　　　　　　　　　　　　　　　　　　　 （数６４）
　ＦＥＴＣＨ　ＣＲ１　ＩＮＴＯ　ＤＡ　　　　　　　　　　　 （数６５）
　ＩＦ（　　（ ａ ≧ Ｌｏ１　ＡＮＤ　ａ ≧ Ｌｏ３ ）
　　ＡＮＤ　（ ａ ≦ Ｌｏ２　ＡＮＤ　ａ ≦ Ｌｏ４ ）        （数６６）
　　ＡＮＤ　（ ｂ ≧ Ｌａ３　ＡＮＤ　ｂ ≧ Ｌａ４ ）
　　ＡＮＤ　（ ｂ ≦ Ｌａ１　ＡＮＤ　ｂ ≦ Ｌａ２ ）  ）
（数６３）から（数６５）は、入力された緯経度を外ポリゴンに包含する画像テーブルのレコードを検索集合に指定し、指定した検索集合のデータ（四隅の緯経度、画像識別番号など）を１レコードずつ取り出すＳＱＬコマンド列である。（数６６）は、（数６３）から（数６５）によって取り出された四隅の緯経度データを用いて、入力された緯経度が内ポリゴンに包含されるか否かを判定する文である。（数６３）から（数６５）のＳＱＬコマンドにより、該当するレコードが見つからない場合は、ワークステーションに『該当検索対象は存在しない』と表示し、本処理を終了する。（数６３）から（数６６）の条件を満たすレコードが１件でも存在した場合、該当レコードのデータ（四隅の緯経度、画像識別番号など）を出力する（４７００）。
【０２１１】（３）詳細イメージ情報検索処理６３０
次に、内ポリゴンを満たさず、外ポリゴンを満たす検索情報について、詳細イメージ情報検索６３０を行う。
【０２１２】本処理は、多項式を用いた判定文よりなる。図４７に詳細イメージ情報検索処理フローを示す。最初に、検索キー（ａ，ｂ）と候補イメージ情報検索処理５８０のＳＱＬ外ポリゴン検索４４００で取り出したレコードデータ（四隅の緯経度、画像識別番号など）を入力する（５０００）。次に、多項式を用いて入力した検索キーが撮影画像の四隅の緯経度に内包されるか否か、包含関係を判定する（５１００）。判定条件を満たす場合は、現レコードのデータ（画像識別番号、その他の画像情報）を出力（５２００）して本処理を終了する。判定条件を満たさない場合には、本処理を終了する。
【０２１３】入力された検索キーと四隅の緯経度座標を、候補イメージ情報検索５８０と同様とすると、検索キー（ａ，ｂ）を内ポリゴンに含む画像のレコードデータは（数６７）で表わす判定文にて検索できる。
【０２１４】
　・・・（数式略）・・・　　　　　　　　　　　　　　　　　（数６７）
  （数６７）は、入力データを用いて多項式判定を行う判定文である。（数６７）を満たす場合は、現レコードのデータを出力する。
【０２１５】（４）画像選択処理６６０
次に検索された候補画像より目的の画像を選択する。
【０２１６】図４８に画像選択処理フローを示す。最初に、詳細イメージ情報検索６３０の結果得られたいくつかの画像情報が入力され（５４００）、図９の中間出力のようにそれらの情報をワークステーション上に表示する（５５００）。利用者はその画像情報を見て画像を選択し（５６００）、その結果選択された画像の識別番号と情報がワークステーション６７０上に出力される（５７００）。
【０２１７】（５）画像切り出し表示処理６８０
次に、選択された画像を入力された対象物を中心に５１２×５１２ピクセル切り出して、図７の画像表示装置２９０の画面上に表示するための処理を行う。
【０２１８】図４９に画像切り出し処理フローを示す。最初に、図１７の画像選択処理６６０により選択された画像識別番号と、緯度・経度検索処理５７０により選択された対象物の緯経度を入力する（６０００）。その画像識別番号をキーとして図１７のデータファイル部５５０に格納された画像データから目標対象物を含む画像を読み出し（６１００）、次に、再度、画像識別番号をキーとして図４９の緯経度ラインピクセル変換係数テーブルより該画像の変換係数を検索する（６２００）。」
　
３．対比
　本願発明と引用発明を対比すると、後者の「ナビゲーション装置」は前者の「ナビゲーションシステム」に、後者の「ナビゲーション機能を実現する」態様は前者の「ユーザに対しナビゲーション機能を提供する」態様にそれぞれ相当すると共に、後者の「制御部５ａ」は「ナビゲーション応用プログラム」を含んでいることは明らかであるから、結局、後者の「ナビゲーション装置のナビゲーション機能を実現する制御部５ａ」は前者の「ナビゲーションシステムのユーザに対しナビゲーション機能を提供するナビゲーション応用プログラム」に相当しているといえる。
　
　次に、後者の「ＭＤ−ＲＡＭディスク」は前者の「物理的記憶媒体」に、後者の「ＣＤ−ＲＯＭディスクとほぼ同様の記録フォーマット」は前者の「コンピュータ読取可能な物理的記憶フォーマット」に、後者の「記録」は前者の「格納」に、後者の「地図情報」は前者の「地理データベース」にそれぞれ相当するから、後者の「ＭＤ−ＲＡＭディスク９ａにＣＤ−ＲＯＭディスクとほぼ同様の記録フォーマットで記録されている地図情報」は前者の「物理的記憶媒体上にコンピュータ読取可能な物理的記憶フォーマットで格納されている地理データベース」に相当している。
　
　そして、後者の「記録再生装置」と前者の「インターフェースレイヤー装置」とは、「制御装置」との概念で共通している。
　
　また、後者の「指定されたアドレスに対応する地図情報の再生を行う」態様は前者の「地理的データに関する要求を受け取って処理する」態様に相当するから、後者の「制御部５ａからの指定されたアドレスに対応する地図情報の再生を行う手段」は前者の「ナビゲーション応用プログラムからの地理的データに関する要求を受け取って処理する手段」に相当している。
　
　続いて、後者の「変換」は前者の「翻訳」に、後者の「変換された地図入力フォーマット」は前者の「論理データモデルフォーマット」にそれぞれ相当するから、後者の「地図情報を記録フォーマットから変換し、変換された地図入力フォーマットの前記地図情報を制御部５ａに供給する手段」は前者の「地理的データを物理的記憶フォーマットから翻訳し、論理データモデルフォーマットの前記地理的データをナビゲーション応用プログラムに供給する手段」に相当している。
　
　さらに、後者の「地図情報に関する指定」は前者の「地理的データを求める要求」に相当し、後者の「地図情報を供給する手段」と前者の「複数のレコードを含むカーソルを供給する手段」とは、「所定データを供給する手段」との概念で共通し、後者の「変換する手段により変換された地図情報を記録し、その後前記地図情報を読み出して供給する」態様は前者の「翻訳する手段に応答しそこから地理的データを受け取る」態様に、後者の「バッファメモリ」と前者の「カーソル供給手段」とは、「所定データ供給手段」との概念で共通しているから、結局、後者の「制御部５ａからの地図情報に関する指定に応答して、上記制御部５ａに、上記地図情報を供給する手段であって、変換する手段により変換された前記地図情報を記録し、その後前記地図情報を読み出して供給するようにされているバッファメモリＡ８ｄ」と前者の「ナビゲーション応用プログラムからの地理的データを求める要求に応答して、上記ナビゲーション応用プログラムに、複数のレコードを含むカーソルを供給する手段であって、翻訳する手段に応答しそこから前記地理的データを受け取るようにされているカーソル供給手段」とは、「ナビゲーション応用プログラムからの地理的データを求める要求に応答して、上記ナビゲーション応用プログラムに、所定データを供給する手段であって、翻訳する手段に応答しそこから前記地理的データを受け取るようにされている所定データ供給手段」との概念で共通している。
　
　したがって、両者は、
「ナビゲーションシステムのユーザに対しナビゲーション機能を提供するナビゲーション応用プログラムと、物理的記憶媒体上にコンピュータ読取可能な物理的記憶フォーマットで格納されている地理データベースとを含んでいる前記ナビゲーションシステムにおいて使用される制御装置であって、
　上記ナビゲーション応用プログラムからの地理的データに関する要求を受け取って処理する手段と、
　上記地理的データを上記物理的記憶フォーマットから翻訳し、論理データモデルフォーマットの前記地理的データを上記ナビゲーション応用プログラムに供給する手段と、
　上記ナビゲーション応用プログラムからの上記地理的データを求める要求に応答して、上記ナビゲーション応用プログラムに、所定データを供給する手段であって、上記翻訳する手段に応答しそこから前記地理的データを受け取るようにされている所定データ供給手段と、
　を備えている制御装置。」
である点で一致し、次の点で相違する。
　
［相違点１］
　「制御装置」に関し、本願発明は、「インターフェースレイヤー装置」であるのに対し、引用発明は、「記録再生装置」である点。
［相違点２］
　地理的データを求める要求に応答して、ナビゲーション応用プログラムに、「所定データを供給する手段」及び「所定データ供給手段」における「所定データ」に関し、本願発明は、「複数のレコードを含むカーソル」としているのに対し、引用発明は、「地図情報」である点。
　
４．判断
　上記相違点について以下検討する。
　
（１）相違点１について
　本願発明の「インターフェースレイヤー装置」は、本願明細書の【００１０】の「データアクセスインタフェースレイヤは、ナビゲーションシステム応用ソフトウェアと共に動作する。・・・媒体の型が異なれば、物理的フォーマットも相違することを認識し、データアクセスインタフェースレイヤはそれらの相違を受け入れて分離することによって、データアクセスインタフェースレイヤの、ナビゲーション応用ソフトウェアと会話する部分を汎用にすることができる。」なる記載によれば、データアクセスインタフェースレイヤを応用プログラムから分離して、汎用化するための装置であると解される。
　ところで、一般に、インターフェイス部を応用プログラムから分離して汎用化することは、例えば、インターフェイス部がＯＳの機能として応用プログラムから分離して汎用化されているように、情報処理の分野における常套手段であるから、引用発明において、上記常套手段を適用し、ナビゲーション応用プログラムの一部を共通化するための装置とすることで、相違点１に係る本願発明の構成とすることは、当業者にとって容易である。
　
（２）相違点２について
　例えば、引用例２にも開示されているように、大容量の画像ファイル装置から画像データを容易に求める（「検索する」が相当）ために、複数のレコードを指定するカーソルを用いることは、情報処理の分野における周知技術である。
　引用発明において、目的とする地理的データを求める際の容易化は、当然に要求されるべき課題であるといえるから、かかる課題の下に上記周知技術を採用し、相違点２に係る本願発明の構成とすることは、当業者が容易に想到し得たものというべきである。
　
　そして、本願発明の全体構成により奏される効果も、引用発明、上記常套手段及び上記周知技術から当業者が予測し得る範囲内のものである。
　したがって、本願発明は、引用発明、上記常套手段及び上記周知技術に基いて当業者が容易に発明をすることができたものである。
　
５．むすび
　以上のとおり、本願発明は、引用発明、上記常套手段及び上記周知技術に基いて当業者が容易に発明をすることができたものであるから、特許法第２９条第２項の規定により特許を受けることができないため、本願は、同法第４９条第２号の規定に該当し、拒絶をされるべきものである。
　よって、結論のとおり審決する。